(57)【要約】【課題】アクセサリ取付部材を介して内部へと流入する静電気の接地を確実に行ない得るアクセサリ取付装置と、これを具備するカメラ及び携帯型情報機器を提供する。【解決手段】導電性を有し外部アクセサリを取り付けるためのアクセサリ取付部材１４と、このアクセサリ取付部材を固定する固定部材１２と、導電性を有し内部を保護するカバー部材１１，１３と、アクセサリ取付部材を固定部材に固定すると共に、アクセサリ取付部材とカバー部材との両者に接触してアクセサリ取付部材とカバー部材とを導通させる保持部材３５とを備えて構成する。【選択図】図６
2005252476.tif 000002
【特許請求の範囲】
【請求項１】
導電性を有し外部アクセサリを取り付けるためのアクセサリ取付部材と、
このアクセサリ取付部材を固定する固定部材と、
導電性を有し内部を保護するカバー部材と、
上記アクセサリ取付部材を上記固定部材に固定すると共に、上記アクセサリ取付部材と上記カバー部材との両者に接触して上記アクセサリ取付部材と上記カバー部材とを導通させる保持部材と、
を備えて構成されることを特徴とするカメラ。
【請求項２】
上記保持部材は、上記固定部材の外面側に組み付けられる上記アクセサリ取付部材の一部を上記固定部材の内面側で係止する係止部を有して形成されていることを特徴とする請求項１に記載のカメラ。
【請求項３】
上記保持部材は、上記カバー部材に弾性的に接触する接触部を有して形成されてなることを特徴とする請求項１又は請求項２に記載のカメラ。
【請求項４】
上記保持部材は、上記係止部が上記アクセサリ取付部材を係止する位置へと導き入れる開口が形成されていることを特徴とする請求項２又は請求項３に記載のカメラ。
【請求項５】
上記保持部材は、上記係止部の両端部にそれぞれ上記接触部を備え、
上記カバー部材は、当該カメラの前面側を覆い保護する前側カバーと同カメラの背面側を覆い保護する後側カバーとからなり、
上記接触部は、一端部が上記前側カバーに、他端部が上記後側カバーに、それぞれ接触することを特徴とする請求項３又は請求項４に記載のカメラ。
【請求項６】
上記固定部材は、上記前側カバー及び上記後側カバーに挟持され、当該カメラの側面を形成する樹脂製のカバー部材であることを特徴とする請求項５に記載のカメラ。
【請求項７】
上記アクセサリ取付部材は、外部アクセサリとしてストラップを取り付けるものであることを特徴とする請求項１〜６のいずれか一つに記載のカメラ。
【請求項８】
導電性を有し外部アクセサリを取り付けるためのアクセサリ取付部材と、
このアクセサリ取付部材を固定する固定部材と、
上記アクセサリ取付部材を上記固定部材に固定すると共に、上記アクセサリ取付部材と導通性を有し内部を保護するカバー部材に電気的に接触して、上記アクセサリ取付部材と上記カバー部材とを導通させる保持部材と、
を備えていることを特徴とするアクセサリ取付装置。
【請求項９】
上記保持部材は、上記カバー部材に弾性的に接触する接触部を備えたことを特徴とする請求項８に記載のアクセサリ取付装置。
【請求項１０】
導電性を有し外部アクセサリを取付るためのアクセサリ取付部材と、
このアクセサリ取付部材を固定する固定部材と、
導電性を有し内部を保護するカバー部材と、
上記アクセサリ取付部材を上記固定部材に固定すると共に、上記アクセサリ取付部材と導通性を有し内部を保護するカバー部材に電気的に接触して、上記アクセサリ取付部材と上記カバー部材とを導通させる保持部材と、
を備えていることを特徴とする携帯型情報機器。
【請求項１１】
上記保持部材は、上記カバー部材に弾性的に接触する接触部を備えたことを特徴とする請求項１０に記載の携帯型情報機器。
【発明の詳細な説明】
【技術分野】
【０００１】
この発明は、カメラ及びアクセサリ取付装置及び携帯型情報機器、詳しくは携帯型の電子機器におけるアクセサリ取付装置のアース技術に関し、静電気による内部電気回路への悪影響を防止し得るアクセサリ取付装置と、これを適用するカメラ及び携帯型情報機器に関するものである。
【背景技術】
【０００２】
近年、内部に電子回路等を備え、使用者が携帯して使用し得るように形成された各種の電子機器、例えばカメラや携帯電話や小型コンピュータ等の携帯型情報機器等（以下、携帯機器と総称する）が広く普及している。
【０００３】
このような携帯機器は、その使用者が手に持って利用されるようになっているために、例えば使用者に帯電した静電気が使用中の携帯機器に向けて放電してしまうことも考えられる。このような場合には、例えば携帯機器における外装部材の外面に露呈されて設けられる固定ネジや同外面上に取り付られる各種のアクセサリ取付部等の主に導電性の金属部分を介して静電気が当該携帯機器の内部に流入してしまうことがある。この場合には、当該携帯機器の内部回路に含まれる電気部品に悪影響を及ぼすことがある。
【０００４】
従来の携帯機器におけるアクセサリ取付部としては、例えばストラップ等を取り付けるためのいわゆる吊り環がある。この吊り環は、例えばひも状のストラップを通すために当該携帯機器に対して環状部を備えた部材を機器本体に固設したものである。そして、当該吊り環の配設部位としては、携帯機器の外装部材における側面部等に設けられているのが一般である。
【０００５】
このような形態のストラップ用の吊り環には、その携帯機器の自重分の荷重がかけられることになる。このことから、当該吊り環は、例えば金属部材等によって形成することで、所定の強度を確保するようにしていることが多い。したがって、この吊り環等のように金属部材からなるアクセサリ取付部等を介して携帯機器の内部へと静電気が流入してしまうことがあり得る。
【０００６】
そこで、流入した静電気から当該携帯機器の内部の電気回路や電気部品、特にＣＰＵ(Central Processing Unit) 等をはじめとした集積回路等の電気部品への悪影響を保護する技術については、例えば特開２００２−６４２８１号公報や特開２００１−７５５２号公報や特開平１１−２６１８５８号公報や特開２００２−７２３１７号公報等によって、従来より種々の提案がなされており、また実用化がなされている。
【０００７】
上記特開２００２−６４２８１号公報によって開示されているストラップ取付装置を有するカメラは、吊り環を構成する円柱部材とストラップ通し部材とを電気的に接続するための導電性弾性部材を備え、上記円柱部材とカメラ内部の主基板のアース端子とをハーネスを介して接続するように構成している。これにより、円柱部材及びストラップ通し部材を介してカメラ内部に流入する静電気は、ハーネスを介して確実に主基板のアース端子へと導かれるようになっている。
【０００８】
上記特開２００１−７５５２号公報によって開示されているカメラにおいては、三脚ねじ孔の保持板やストラップ金具（吊り環）の一部がプリント基板のグランドパターンに直接当接するように構成している。これにより、三脚ねじ孔の保持板やストラップ金具を介してカメラ内部に流入する静電気が基板上のアース端子へと導かれるようになっている。
【０００９】
上記特開平１１−２６１８５８号公報によって開示されているカメラにおいては、金属製の三脚ねじ孔や吊り環と金属製の外装部材及び内部回路基板に対してネジ等によって固定保持し電気的な接続を確保している。これによれば、三脚ねじ孔や吊り環を介してカメラ内部に流入する静電気が内部回路基板上のアース端子へと導かれるようになっている。
【００１０】
上記特開２００２−７２３１７号公報によって開示されているカメラにおいては、導電性を有する外装部材と非導電性を有する内部カバー部材との間に弾性を有し導電性からなる板ばねを設け、この板ばねの先端部をインナーカバーの孔部を通して吊り環に弾性的に接触するようにしている。そして、三脚ねじ孔や吊り環は、ねじ部材によって外装部材と内部カバー部材とを内部固定部に共締めするようにしている。さらに、吊り環や三脚ねじ孔はラグ板及びリード線等を介して内部回路基板のグランド部に接続している。これによれば、三脚ねじ孔や吊り環を介してカメラ内部に流入する静電気が内部回路基板上のアース端子へと導かれるようになっている。
【特許文献１】特開２００２−６４２８１号公報
【特許文献２】特開２００１−７５５２号公報
【特許文献３】特開平１１−２６１８５８号公報
【特許文献４】特開２００２−７２３１７号公報
【発明の開示】
【発明が解決しようとする課題】
【００１１】
ところが、従来の携帯機器においては、携帯性を向上させる等の目的から機器自体の小型化及びより軽量化が望まれている。しかしながら、上述のように機器の外部から侵入する静電気を当該機器の内部に設置されるグランド部へと流すために、なんらかの仲介部材等を新たに追加配置することは、その構成が複雑となってしまうのと同時に、追加すべき部品を機器内部の所定の位置に配置するための空間的な余裕が必要となる。
【００１２】
また、三脚ねじ孔の保持板やストラップ金具（吊り環）の一部と内部回路のグランドパターンとを直接当接するように構成した場合には、三脚ねじ孔の保持板やストラップ金具（吊り環）等の部材を特別な形状に形成する必要が生じる。
【００１３】
したがって、上述のような理由によって、当該携帯機器自体が大型化してしまうという問題点や、その製造コストを低減することが困難になってしまうという問題点が生じるこことになる。
【００１４】
本発明は、上述した点に鑑みてなされたものであって、その目的とするところは、簡単な構造でアクセサリ取付部材を介して機器内部へと流入する静電気の接地を確実に行なうことのできるアクセサリ取付装置と、このアクセサリ取付装置を具備するカメラ及び携帯型情報機器を提供することである。
【課題を解決するための手段】
【００１５】
上記目的を達成するために、本発明によるカメラは、導電性を有し外部アクセサリを取り付けるためのアクセサリ取付部材と、このアクセサリ取付部材を固定する固定部材と、導電性を有し内部を保護するカバー部材と、上記アクセサリ取付部材を上記固定部材に固定すると共に、上記アクセサリ取付部材と上記カバー部材との両者に接触して上記アクセサリ取付部材と上記カバー部材とを導通させる保持部材とを備えて構成されることを特徴とする。
【発明の効果】
【００１６】
本発明によれば、簡単な構造でアクセサリ取付部材を介して機器内部へと流入する静電気の接地を確実に行なうことのできるアクセサリ取付装置と、このアクセサリ取付装置を具備するカメラ及び携帯型情報機器を提供することができる。
【発明を実施するための最良の形態】
【００１７】
以下、図示の実施の形態によって本発明を説明する。  
図１及び図２は、本発明の一実施形態のアクセサリ取付装置を具備するカメラを示す図である。このうち、図１は当該カメラの主に前面側及び右側面を示す外観斜視図である。また、図２は図１のカメラの主要構成部材を示す分解斜視図である。
【００１８】
一方、図３〜図６は本実施形態のカメラに具備されるアクセサリ取付装置を主に示す図である。このうち、図３は図１のカメラの一部の部材（中カバー）を取り出しその一部のみを示す図であって、当該中カバーに対するアクセサリ取付装置の取り付け部位を示す要部拡大斜視図である。また、図４は図１のカメラの一部の断面を示す図であってアクセサリ取付装置の取り付け部位近傍の縦断面図である。そして、図５及び図６は図１のカメラの外装部材に対するアクセサリ取付装置の取り付け状態を示す横断面図である。このうち、図５は中カバー及び後側カバーに対して前側カバーを組み付ける以前の状態を示している。また図６は中カバー及び後側カバーに対して前側カバーを組み付けた後の状態を示している。
【００１９】
以下に説明する本発明の一実施形態は、光学像を画像として取得する携帯機器としてのカメラに本発明のアクセサリ取付装置を適用した場合の例を示すものである。
【００２０】
まず、本発明のアクセサリ取付装置を具備するカメラの構成についての概略を図１及び図２によって以下に説明する。
【００２１】
本実施形態のカメラ１は、前面側を覆い内部を保護するカバー部材である前側カバー１１と、背面側を覆い内部を保護するカバー部材である後側カバー１３と、両者に挟持され上面及び底面及び両側面を覆い保護するカバー部材である中カバー１２との三部材が組み合わさった形態で構成される外装部材によって、その外面が覆われ内部が保護されている。この場合において、前側カバー１１と後側カバー１３とは、金属等の導電性を有する部材（金属製）によって形成されている。また、中カバー１２は例えば樹脂等のモールド成形部材（樹脂製）によって形成されている。
【００２２】
これらの外装部材（１１，１２，１３）によって形成される内部空間には、図２に示すように被写体像を形成する撮影光学系やこの撮影光学系をその光軸に沿う方向に移動させる駆動部材や撮影光学系によって結像される光学像を受けて光電変換するＣＣＤ等の撮像素子及びこの撮像素子からの出力信号を伝達するフレキシブルプリント基板等を備えたレンズ鏡枠ユニット２０と、当該カメラ１を統括的に制御する制御回路等を形成する各種の電気部品が実装される主基板２１と、閃光発光装置や測光装置や電源装置や液晶表示装置（いずれも特に図示せず）等を保持し当該カメラ１の本体部分を構成する本体フレーム２２等がそれぞれ所定の位置に配設され固定保持されている。
【００２３】
前側カバー１１の前面側には、上記レンズ鏡枠ユニット２０の撮影光学系における対物レンズ光学系に対応する位置に設けられ外部からの光束を撮影光学系へと入射させる開口となる撮影レンズ窓１１ａと、閃光発光装置の閃光発光部に対応する位置に設けられ当該閃光発光部から閃光を出射させる開口となる閃光発光窓１１ｂ等が設けられている。また、この前側カバー１１の底面側には三脚等のアクセサリ機器を装着するための三脚ネジ孔（図示せず）等が形成されている。
【００２４】
中カバー１２には、その内側における底面側にコネクタ１８（図３参照）がコネクタ固定ネジ１９（締結部材）によって固定保持されている。また、この中カバー１２の底面側には電池室１２ｃ（図２参照）が設けられている。この電池室１２ｃに対向する部位には電池室蓋１５が配設されている。この電池室蓋１５は、電池室１２ｃを外部から覆い遮蔽する位置と同電池室１２ｃの内部を開放する位置との間で回動自在となるように中カバー１２の固定部に対して軸支されている。
【００２５】
さらに、中カバー１２の上面側には、写真撮影動作をおこなう際に操作するシャッターボタン１６や当該カメラ１の各種の設定等をおこなう際に操作する設定ダイアル１７（図１参照。図２には図示せず）等の操作部材がそれぞれ所定の位置に配設されている。
【００２６】
そして、中カバー１２の側面がわ、すなわち当該カメラ１の正面側（前面側）から見て右側面がわには、閉塞された略環形状を形成する通し孔１４ａを備え導電性を有する部材からなる吊り環１４が中カバー１２に対して一体となるように固設されている。この吊り環１４の通し孔１４ａには、例えば当該カメラ１の携帯時に利用する吊りひも（ストラップ）等を通すことができるようになっている。つまり、この吊り環１４は、導電性を有しストラップ等の外部アクセサリを取り付けるためのアクセサリ取付部材である。また、中カバー１２は、アクセサリ取付部材である吊り環１４を固定する固定部材としての役目をしている。
【００２７】
次に、上記カメラ１に具備される上記アクセサリ取付装置について、図２及び図３〜図６を用いて以下に詳述する。
【００２８】
本実施形態のカメラ１におけるアクセサリ取付装置は、上述したように例えば吊りひも（ストラップ）等を取り付けるための吊り環１４及びこれを固定する固定部材である中カバー１２やこの中カバー１２の側面の所定部位に吊り環１４を固定保持する保持部材である吊り環抑え部材３５（詳細は後述する）等の複数の部材によって構成される。
【００２９】
詳述すると、上記吊り環１４は、図４に示すように断面が略半月形状からなり、例えば金属等の導通性の部材又は樹脂等のモールド成形部材の外表面にモールド金属メッキ処理等を施すことによって導電性を備えた部材により形成されている。そして、その略中央部位には略長円形状の通し孔１４ａが貫通して形成されている。換言すれば、吊り環１４は略環形状を形成している。
【００３０】
また、この吊り環１４の平面部には、複数の位置決め突起１４ｄが外部に向けて突設されている。さらに、同平面部の略中央部位には、周溝１４ｃを形成した被係止突起１４ｂが突設されている。
【００３１】
一方、この吊り環１４が配置されるべき中カバー１２のがわの所定の部位、すなわち当該中カバー１２の右側面は、吊り環１４を配置し固設することができる形状となっている。つまり、当該吊り環１４の長さ方向及び幅方向の寸法のそれぞれが略同寸法となる内法を備えた凹部１２ｇが形成されている。そして、この凹部１２ｇには、上記吊り環１４が嵌合するようになっている。この場合において、当該吊り環１４の被係止突起１４ｂに対応する凹部１２ｇがわの部位には貫通孔１２ｈと、上記吊り環１４の複数の位置決め突起１４ｄ（本実施形態では２個）に対応する同数（本実施形態では２個）の位置決め用孔部１２ｆとがそれぞれ穿設されている。
【００３２】
他方、中カバー１２の右側面であって、上記吊り環１４が配置される部位を中心として上面寄りの所定の部位と底面寄りの所定の部位のそれぞれには、当該中カバー１２の側壁を貫通する貫通孔１２ｅが穿設されている。
【００３３】
そして、吊り環１４は、中カバー１２の側面がわの所定部位に対して保持部材である吊り環抑え部材３５によって固設されている。この吊り環抑え部材３５は、金属等で弾性力をそなえ導電性を有する板状部材、例えば板ばね等を折り曲げて形成したものである。したがって、吊り環抑え部材３５は、自身の弾性力によって中カバー１２を押圧しこれを保持することになっている。
【００３４】
また、この場合において、当該吊り環抑え部材３５の基端部３５ａ（一端部）と先端部３５ｂ（他端部）とには段差が形成されるように折り曲げた形状となっており、かつ先端部３５ｂには略Ｕ字形状の切欠３５ｃが形成されている。この切欠３５ｃは、上記中カバー１２の所定の部位に吊り環１４が配置された状態において、当該吊り環１４の被係止突起１４ｂの周溝１４ｃに嵌合するようになっている。そのために、周溝１４ｃは、当該吊り環抑え部材３５の板厚と略同等か若しくは若干広い幅寸法となるように設定されている。したがって、これにより吊り環抑え部材３５は、中カバー１２の側壁を挟んで吊り環１４を係止している。このことから吊り環抑え部材３５は、吊り環１４が中カバー１２に対して容易に抜けてしまわないように係止している。
【００３５】
換言すれば、吊り環抑え部材３５（保持部材）の切欠３５ｃは、中カバー１２（固定部材）の外面側に組み付けられる吊り環１４（アクセサリ取付部材）の一部（被係止突起１４ｂの周溝１４ｃ）を係止することで、当該吊り環１４を中カバー１２の内面側で係止する係止部として機能している。そして、この切欠３５ｃ（係止部）には、吊り環１４（アクセサリ取付部材）が吊り環抑え部材３５により係止される位置へと導き入れる開口３５ｃｃに連設されている。
【００３６】
さらに、吊り環抑え部材３５における基端部３５ａと先端部３５ｂとに設けられる段差部には、図５及び図６に示すように前側カバー１１の側縁部近傍に突設される嵌合突部１１ｆと、後側カバー１３の側縁部近傍に突設される嵌合突部１３ｆとが、それぞれに嵌合するようになっている。したがって、後側カバー１３の嵌合突部１３ｆが吊り環抑え部材３５の先端部３５ｂの段差に嵌合し、前側カバー１１の嵌合突部１１ｆが吊り環抑え部材３５の基端部３５ａの段差に嵌合するようになっている。
【００３７】
この場合において、基端部３５ａと先端部３５ｂとのそれぞれは、金属等からなるカバー部材である前側カバー１１及び後側カバー１３のそれぞれに弾性的に接触し導通を得るようになっている。つまり、吊り環抑え部材３５における基端部３５ａと先端部３５ｂとの各段差部は、二つのカバー部材に弾性的に接触する接触部となっている。
【００３８】
換言すれば、吊り環抑え部材３５は、吊り環１４（アクセサリ取付部材）を中カバー１２（固定部材）に固定する保持部材としての役目をしている。これと同時に、同吊り環抑え部材３５は、上記吊り環１４とカバー部材（前側カバー１１及び後側カバー１３）との両者に弾性的に接触して上記吊り環１４と上記カバー部材（前側カバー１１及び後側カバー１３）とを導通させる役目をしている。
【００３９】
また、この状態においては、図４に示すように中カバー１２の側壁の内面側に対しては、後側カバー１３の側縁部に一体に形成される複数のタブ部１３ｄが当接して配置されている。さらに、この後側カバー１３のタブ部１３ｄの内面側に対しては、前側カバー１１の側縁部に一体に形成される複数の固定タブ部１１ｄが配置されている。
【００４０】
つまり、後側カバー１３のタブ部１３ｄには、中カバー１２の複数の貫通孔１２ｅに対応する各部位に貫通孔１３ｅが形成されている。また、前側カバー１１の複数の固定タブ部１１ｄには、上述の複数の貫通孔１２ｅ及び複数の貫通孔１３ｅのそれぞれに対応する部位に貫通ねじ孔１１ｅが形成されている。
【００４１】
そして、貫通孔１２ｅ及び貫通孔１３ｅ及び貫通ねじ孔１１ｅに対して固定ビス３６が挿通され、これによって各外装部材（１１，１２，１３）は固定されるようになっている。この場合において、固定ビス３６は、まず中カバー１２の側壁の外側から貫通孔１２ｅに挿通され、これを貫通した後、後側カバー１３の貫通孔１３ｅを挿通し、その後、前側カバー１１の貫通ねじ孔１１ｅに螺合する。こうして、本カメラ１の三部材からなる外装部材（１１，１２，１３）が一体に組み立てられるようになっている。
【００４２】
このように構成される本実施形態のカメラ１において、アクセサリ取付装置近傍を組み立てる際の手順を以下に簡単に説明する。
【００４３】
まず、中カバー１２の側面部の所定の位置、即ち凹部１２ｇに対して吊り環１４を嵌合させて配置する。この場合において、吊り環１４の被係止突起１４ｂを中カバー１２の貫通孔１２ｈを貫通させた部位に配置し、かつ複数の位置決め突起１４ｄを中カバー１２の各対応する位置決め用孔部１２ｆに嵌合させる。
【００４４】
この状態において、吊り環１４の被係止突起１４ｂの周溝１４ｃに対して吊り環抑え部材３５の切欠３５ｃを摺動させながら係合させる。これにより、吊り環１４と吊り環抑え部材３５とが中カバー１２の側壁を挟んで互いに係止状態となる。したがって、吊り環１４は中カバー１２の側面部において容易に脱落しないように固設される。
【００４５】
この状態の中カバー１２に対して後側カバー１３を取り付ける。この場合には、図５に示すように後側カバー１３の嵌合突部１３ｆを吊り環抑え部材３５の先端部３５ｂの段差と中カバー１２の側壁内面によって形成される隙間に嵌合させる。すると、導通性の吊り環抑え部材３５の先端部３５ｂは、導通性を有する後側カバー１３に接触した状態となる。これにより、吊り環１４（アクセサリ取付部材）と後側カバー１３（カバー部材）とは、吊り環抑え部材３５（保持部材）を介して導通する。
【００４６】
この状態においては、中カバー１２の貫通孔１２ｅと後側カバー１３の貫通孔１３ｅと前側カバー１１の貫通ねじ孔１１ｅがそれぞれ対応する位置に配置される。ここで、固定ビス３６を、まず中カバー１２の側壁の外側から貫通孔１２ｅに挿通する。この貫通孔１２ｅを貫通した固定ビス３６は、続いて後側カバー１３の貫通孔１３ｅに挿通され、これを貫通する。さらに、当該固定ビス３６は、前側カバー１１の貫通ねじ孔１１ｅに螺合する。
【００４７】
このようにして、本カメラ１の三部材からなる外装部材（１１，１２，１３）のうち後側カバー１３と中カバー１２とが一体に組み立てられる。このとき、上述したように吊り環１４と後側カバー１３とは、吊り環抑え部材３５（保持部材）を介して導通した状態になる。
【００４８】
次いで、この状態の中カバー１２に対して前側カバー１１を取り付る。この場合には、図６に示すように前側カバー１１の嵌合突部１１ｆを吊り環抑え部材３５の基端部３５ａの段差と中カバー１２の側壁内面によって形成される隙間に嵌合させる。すると、導通性の吊り環抑え部材３５の基端部３５ａは、導通性を有する前側カバー１１に接触した状態となる。これにより、吊り環１４（アクセサリ取付部材）と前側カバー１１（カバー部材）とは、吊り環抑え部材３５（保持部材）を介して導通する。
【００４９】
この状態においては、中カバー１２の貫通孔１２ｅと前側カバー１１の貫通ねじ孔１１ｅと前側カバー１１の貫通ねじ孔１１ｅがそれぞれ対応する位置に配置される。ここで固定ビス３６を、まず中カバー１２の側壁の外側から貫通孔１２ｅに挿通する。この貫通孔１２ｅを貫通した固定ビス３６は、続いて後側カバー１３の貫通孔１３ｅに挿通され、これを貫通する。さらに、当該固定ビス３６は、前側カバー１１の貫通ねじ孔１１ｅに螺合する。
【００５０】
このようにして、本カメラ１の三部材からなる外装部材（１１，１２，１３）のうち中カバー１２と前側カバー１１とが一体に組み立てられる。このとき、上述したように吊り環１４と前側カバー１１とは、吊り環抑え部材３５（保持部材）を介して導通した状態になる。
【００５１】
以上説明したように上記一実施形態によれば、アクセサリ取付部材（吊り環１４）を固定部材（中カバー１２）に対して固定する保持部材（吊り環抑え部材３５）は、上記吊り環１４とカバー部材（前側カバー１１及び後側カバー１３）との両者に接触し導通させるように配置している。
【００５２】
これにより、当該カメラ１は、外装部材（１１，１２，１３）を組み立てる際の作業性を阻害することなく、アクセサリ取付部材（吊り環１４）を介して内部に流入する静電気を確実に接地することができる。したがって、カメラ１の内部に配設されている電気部品等は、アクセサリ取付部材を介して内部に流入する静電気により生じる悪影響を防止することができる。
【００５３】
保持部材（吊り環抑え部材３５）は、固定部材（中カバー１２）を挟んでアクセサリ取付部材（吊り環１４）の周溝１４ｃに対して係止する構成としたので、これを固定するねじ等の固定部材を必要とせず、構成の簡略化に寄与することができる。
【００５４】
さらに、この場合において、保持部材（吊り環抑え部材３５）は、アクセサリ取付部材（吊り環１４）の周溝１４ｃに対して嵌め込むのみの構成としたので、組立作業性の向上に寄与することができる。
【００５５】
また、保持部材（吊り環抑え部材３５）は、二つのカバー部材（前側カバー１１及び後側カバー１３）に接触するようにしているので確実な導通を確保することができる。
【００５６】
なお、上述の一実施形態はアクセサリ取付部材としてストラップ取付用の吊り環に対して本発明を適用した例を説明しているが、当該発明は、これに限定されることはなく、例えばカメラの三脚取付部や外部ストロボ取付部等に対して適用することは容易にできる。
【００５７】
また、上述の一実施形態のアクセサリ取付装置の構成は、当該実施形態に示すカメラ以外にも、例えば携帯型情報機器等、カメラなどと同様に携帯して持ち歩くことのできる各種の小型機器に適用されるアクセサリ取付装置に対しても全く同様に適用することができるのはもちろんである。
【図面の簡単な説明】
【００５８】
【図１】本発明の一実施形態のアクセサリ取付装置を具備するカメラの主に前面側及び右側面を示す外観斜視図。
【図２】図１のカメラの主要構成部材を示す分解斜視図。
【図３】図１のカメラの構成部材の一部であって、中カバーに対するアクセサリ取付装置の取り付け部位を示す要部拡大斜視図。
【図４】図１のカメラの一部の断面を示す図であってアクセサリ取付装置の取り付け部位近傍の縦断面図。
【図５】図１のカメラの外装部材に対するアクセサリ取付装置の取り付け状態を示す横断面図であって、中カバー及び後側カバーに対して前側カバーを組み付ける以前の状態を示す図。
【図６】図１のカメラの外装部材に対するアクセサリ取付装置の取り付け状態を示す横断面図であって、中カバー及び後側カバーに対して前側カバーを組み付けた後の状態を示す図。
【符号の説明】
【００５９】
１……カメラ
１１……前側カバー
１１ｄ……固定タブ部
１１ｅ……貫通ねじ孔
１１ｆ……嵌合突部
１２……中カバー
１２ｅ……貫通孔
１２ｆ……位置決め用穴部
１２ｇ……凹部
１２ｈ……貫通孔
１３……後側カバー
１３ｄ……タブ部
１３ｅ……貫通孔
１３ｆ……嵌合突部
１４……吊り環
１４ａ……通し孔
１４ｂ……被係止突起
１４ｃ……周溝
１４ｄ……位置決め突起
２０……レンズ鏡枠ユニット
２１……主基板
２２……本体フレーム
３５……吊り環抑え部材
３５ａ……基端部
３５ｂ……先端部
３５ｃ……切欠
３６……固定ビス
代理人弁理士伊藤進
【図１】
2005252476.tif 000003
【図２】
2005252476.tif 000004
【図３】
2005252476.tif 000005
【図４】
2005252476.tif 000006
【図５】
2005252476.tif 000007
【図６】
2005252476.tif 000008